(57)【特許請求の範囲】
【請求項１】
エアコン室外機の周囲を取囲むように設置されるエアコン室外機用防護パネルであって、
略円柱状の第１支柱（４ａ）および第２支柱（４ｂ）と、
前記第１支柱（４ａ）と前記第２支柱（４ｂ）との間にわたされる第１パネル本体（６ｂ）と
を備え、
前記第１パネル本体（６ｂ）は、
前記第１支柱（４ａ）側に設けられ、前記第１支柱（４ａ）に挿通される略円筒状の第１支持部（７ａ、７ｃ）と、
前記第２支柱（４ｂ）側に設けられ、前記第２支柱（４ｂ）に取外し可能に設けられた第２支持部（７ｂ、７ｄ）と
を含む、エアコン室外機用防護パネル。
【請求項２】
前記第２支持部（７ｂ、７ｄ）は断面形状が略半円状である、請求項１記載のエアコン室外機用防護パネル。
【請求項３】
前記第１支柱（４ａ）および前記第２支柱（４ｂ）は、前記第１支持部（７ａ、７ｃ）および前記第２支持部（７ｂ、７ｄ）をそれぞれ下方から支えるためのフランジ部（５）を含む、請求項１または２に記載のエアコン室外機用防護パネル。
【請求項４】
前記第１支持部（７ａ、７ｃ）を前記第１支柱（４ａ）へ、前記第２支持部（７ｂ、７ｄ）を前記第２支柱（４ｂ）へそれぞれ固定するための取付部材（１３、１４、１４ａ）を備え、
前記取付部材（１３、１４、１４ａ）は、
前記第１支柱（４ａ）および前記第２支柱（４ｂ）にそれぞれ設けられた径方向に貫通する貫通孔（１５）に挿通される雄ねじ部（１３）と、
前記雄ねじ部（１３）と螺合する雌ねじ部（１４ａ）を含み、前記第１支持部（７ａ、７ｃ）または前記第２支持部（７ｂ、７ｄ）の外面上に重なる押え部（１４）と
を有する、請求項１〜３のいずれかに記載のエアコン室外機用防護パネル。
【請求項５】
前記第１パネル本体（６ｂ）は網状である、請求項１〜４のいずれかに記載のエアコン室外機用防護パネル。
【請求項６】
前記第１支持部（７ａ、７ｃ）および前記第２支持部（７ｂ、７ｄ）は網状である、請求項１〜５のいずれかに記載のエアコン室外機用防護パネル。
【請求項７】
略円柱状の第３支柱（４ｅ）と、
前記第１支柱（４ａ）と前記第３支柱（４ｅ）との間にわたされる第２パネル本体（６ａ）と
を備え、
前記第２パネル本体（６ａ）は、
前記第１支柱（４ａ）側に設けられ、前記第１支柱（４ａ）に挿通される略円筒状の第３支持部（７ａ、７ｃ）と、
前記第３支柱（４ｅ）の側に設けられ、前記第３支柱（４ｅ）に取外し可能に設けられた第４支持部（７ｂ、７ｄ）と
を含む、請求項１〜６のいずれかに記載のエアコン室外機用防護パネル。
【請求項８】
前記第１支持部（７ｃ）と前記第３支持部（７ｃ）とは、前記第１支柱（４ａ）に挿通された状態で高さ方向で互い違いに位置する、請求項７記載のエアコン室外機用防護パネル。
【請求項９】
前記第４支持部（７ｂ、７ｄ）は断面形状が略半円状である、請求項７または８に記載のエアコン室外機用防護パネル。
【請求項１０】
略円柱状の第３支柱（４ｅ）と、
前記第１支柱（４ａ）と前記第３支柱（４ｅ）との間にわたされる第３パネル本体（６ａ）と
を備え、
前記第３パネル本体（６ａ）は、
前記第１支柱（４ａ）側に設けられ、前記第１支柱（４ａ）に取外し可能に設けられた第５支持部（７ｂ、７ｄ）と、
前記第３パネル本体（６ａ）の前記第３支柱（４ｅ）の側に設けられ、前記第１支柱（４ａ）に挿通される略円筒状の第６支持部（７ａ、７ｃ）と
を含む、請求項１〜６のいずれかに記載のエアコン室外機用防護パネル。
【請求項１１】
前記第５支持部（７ｂ、７ｄ）は断面形状が略半円状である、請求項１０記載のエアコン室外機用防護パネル。
【請求項１２】
前記第１支持部（７ａ）は前記第１パネル本体（６ｂ）の上端から下端にわたって連続的に形成され、
前記第５支持部（７ｂ）は前記第３パネル本体（６ａ）の上端から下端にわたって連続的に形成され、
前記第５支持部（７ｂ）は前記第１支柱（４ａ）に取付けられた状態で、前記第１支持部（７ａ）の外面上に重なる、請求項１０または１１に記載のエアコン室外機用防護パネル。
【請求項１３】
前記第１支持部（７ｃ）は前記第１パネル本体（６ｂ）の上端から下端にわたって断続的に形成され、
前記第５支持部（７ｄ）は前記第３パネル本体（６ａ）の上端から下端にわたって断続的に形成され、
前記第５支持部（７ｄ）は前記第１支柱（４ａ）に取付けられた状態で、前記第１支持部（７ｃ）と前記第５支持部（７ｄ）とは高さ方向で互い違いに位置する、請求項１０または１１に記載のエアコン室外機用防護パネル。
【請求項１４】
室外機を挟んで前記第１支柱（４ａ）および前記第２支柱（４ｂ）とそれぞれ対向するように配置された第３支柱（４ｅ）および第４支柱（４ｆ）と、
前記第１支柱（４ａ）の上部と前記第３支柱（４ｅ）の上部、前記第２支柱（４ｂ）の上部と前記第４支柱（４ｆ）の上部とをそれぞれ接続する第１ステー（８ａ）および第２ステー（８ｂ）と、
前記第１ステー（８ａ）および前記第２ステー（８ｂ）とに固定される天板パネル（１０ａ）と
を備え、
前記天板パネル（１０ａ）は、前記第１ステー（８ａ）および前記第２ステー（８ｂ）に固定された状態で前記第１および第２ステー（８ａ、８ｂ）を受入れる段差部（１１）を含む、請求項１記載のエアコン室外機用防護パネル。
【発明の詳細な説明】
【０００１】
【発明の属する技術分野】
本発明はエアコン室外機用防護パネルに関し、特に、室外機の大きさに合わせて容易に短時間で組立てることのできるエアコン室外機用防護パネルに関するものである。
【０００２】
【従来の技術】
エアコンの室外機は通常屋外に設置される。特に、学校やビル等に設置される比較的大型の室外機においては、安全のため室外機に人が近づかないように、室外機の周りには金網などのフェンスが張られることがある。このような、フェンスは、設置される室外機の大きさに合わせてあらかじめ作製され、現地にて組立てられる。
【０００３】
【発明が解決しようとする課題】
しかしながら、従来のこのようなフェンスは、上述したように室外機の大きさに応じたものを準備しなければならなかった。また、フェンスの組立も容易ではないため、室外機を設置する業者だけでは組立てることができず、フェンス専門業者のサポートが必要であった。その結果、フェンスの設置に時間を要するとともに、設置費用も上昇した。
【０００４】
本発明は、このような問題点を解決するためになされたものであり、室外機の大きさに合わせて容易に短時間で組立てることのできるエアコン室外機用防護パネルを提供することである。
【０００５】
【課題を解決するための手段】
請求項１に記載されたエアコン室外機用防護パネルは、エアコン室外機の周囲を取囲むように設置されるエアコン室外機用防護パネルであって、略円柱状の第１支柱および第２支柱と、第１支柱と第２支柱との間にわたされる第１パネル本体とを備えている。第１パネル本体は、第１支柱側に設けられ、第１支柱に挿通される略円筒状の第１支持部と、第２支柱側に設けられ、第２支柱に取外し可能に設けられた第２支持部とを含んでいる。
【０００６】
請求項１に記載されたエアコン室外機用防護パネルによれば、第１支持部を第１支柱に挿通するとともに、第２支持部を第２支柱に取付けることで、第１支柱と第２支柱との間に容易に第１パネル本体をわたすことができ、専門の業者でなくても容易にエアコン室外機用防護パネルを組立てることができる。また、第１支持部を軸として第１パネル本体を容易に開閉可能にすることができる。
【０００７】
請求項２に記載されたエアコン室外機用防護パネルでは、第２支持部は断面形状が略半円状である。
【０００８】
請求項２に記載のエアコン室外機用防護パネルによれば、第２支持部を第２支柱や他の第１支持部の外面上に沿って重ねることができる。
【０００９】
請求項３に記載されたエアコン室外機用防護パネルでは、第１支柱および第２支柱は、第１支持部および第２支持部をそれぞれ下方から支えるためのフランジ部を含んでいる。
【００１０】
請求項３に記載のエアコン室外機用防護パネルによれば、第１支持部および第２支持部を容易に支えることができる。
【００１１】
請求項４に記載されたエアコン室外機用防護パネルでは、第１支持部を第１支柱へ、第２支持部を第２支柱へそれぞれ固定するための取付部材を備え、その取付部材は、第１支柱および第２支柱にそれぞれ設けられた径方向に貫通する貫通孔に挿通される雄ねじ部と、その雄ねじ部と螺合する雌ねじ部を含み、第１支持部または第２支持部の外面上に重なる押え部とを有する。
【００１２】
請求項４に記載のエアコン室外機用防護パネルによれば、雄ねじ部を押え部の雌ねじ部に螺合することで、パネルの外側から容易に取付取外しを行なうことができる。
【００１３】
請求項５に記載されたエアコン室外機用防護パネルでは、第１パネル本体は網状である。
【００１４】
請求項５に記載のエアコン室外機用防護パネルによれば、室外機の様子をエアコン室外機用防護パネルの外側から容易に確認することができるとともに、第１パネル本体の軽量化を図ることができる。
【００１５】
請求項６に記載されたエアコン室外機用防護パネルでは、第１支持部および第２支持部は網状である。
【００１６】
請求項６に記載のエアコン室外機用防護パネルによれば、第１パネル本体の軽量化をさらに図ることができる。
【００１７】
請求項７に記載されたエアコン室外機用防護パネルは、略円柱状の第３支柱と、第１支柱と第３支柱との間にわたされる第２パネル本体とを備えている。第２パネル本体は、第１支柱側に設けられ、第１支柱に挿通される略円筒状の第３支持部と、第３支柱の側に設けられ、第３支柱に取外し可能に設けられた第４支持部とを含んでいる。
【００１８】
請求項７に記載のエアコン室外機用防護パネルによれば、第３支持部を第１支柱に挿通するとともに、第４支持部を第３支柱に取付けることで、第１支柱と第３支柱との間に、第３支持部を軸として開閉可能な第２パネル本体を容易にわたすことができる。
【００１９】
請求項８に記載されたエアコン室外機用防護パネルでは、第１支持部と第３支持部とは、第１支柱に挿通された状態で高さ方向で互い違いに位置する。
【００２０】
請求項８に記載のエアコン室外機用防護パネルによれば、第１支持部と第３支持部とは第１支柱に挿通されるだけで特にネジなどの取付部材により固定されないので、第１パネル本体や第２パネル本体を開閉する際に第１支柱側の取付部材を取外す必要がない。
【００２１】
請求項９に記載されたエアコン室外機用防護パネルでは、第４支持部は断面形状が略半円状である。
【００２２】
請求項９に記載のエアコン室外機用防護パネルによれば、第４支持部を第１支柱や他の第１支持部の外面上に沿って重ねることができる。
【００２３】
請求項１０に記載されたエアコン室外機用防護パネルは、略円柱状の第３支柱と、第１支柱と第３支柱との間にわたされる第３パネル本体とを備えている。第３パネル本体は、第１支柱側に設けられ、第１支柱に取外し可能に設けられた第５支持部と、第３パネル本体の第３支柱の側に設けられ、第１支柱に挿通される略円筒状の第６支持部とを含んでいる。
【００２４】
請求項１０に記載のエアコン室外機用防護パネルによれば、第５支持部を第１支柱に取付けるとともに、第６支持部を第３支柱に挿通することで、第１支柱と第３支柱との間に、第６支持部を軸として開閉可能な第２パネル本体を容易にわたすことができる。
【００２５】
請求項１１に記載されたエアコン室外機用防護パネルでは、第５支持部は断面形状が略半円状である。
【００２６】
請求項１１に記載のエアコン室外機用防護パネルによれば、第５支持部を第１支柱や他の第１支持部の外面上に沿って重ねることができる。
【００２７】
請求項１２に記載されたエアコン室外用防護パネルでは、第１支持部は第１パネル本体の上端から下端にわたって連続的に形成されている。第５支持部は第３パネル本体の上端から下端にわたって連続的に形成されている。第５支持部は第１支柱に取付けられた状態で、第１支持部の外面上に重なる。
【００２８】
請求項１２に記載のエアコン室外機用防護パネルによれば、第５支持部が第１支持部の外面上に重なることで、第１パネル本体および第３パネル本体の第１支柱への取付がより強固になる。
【００２９】
請求項１３に記載のエアコン室外機用防護パネルでは、第１支持部は第１パネル本体の上端から下端にわたって断続的に形成されている。第５支持部は第３パネル本体の上端から下端にわたって断続的に形成されている。第５支持部は第１支柱に取付けられた状態で、第１支持部と第３支持部とは高さ方向で互い違いに位置する。
【００３０】
請求項１３に記載のエアコン室外機用防護パネルによれば、第３パネル本体の第５支持部をネジなどの取付部材で第１支柱に取付ける際に、第１パネル本体の第１支持部については取付部材によって第１支柱に固定されることはないので、第２支持部側の取付部材を取外すだけで容易に第１パネル本体を開閉することができる。
【００３１】
請求項１４に記載されたエアコン室外機用防護パネルは、室外機を挟んで第１支柱および第２支柱とそれぞれ対向するように配置された第３支柱および第４支柱と、第１支柱の上部と第３支柱の上部、第２支柱の上部と第４支柱の上部とをそれぞれ接続する第１ステーおよび第２ステーと、第１ステーおよび第２ステーとに固定される天板パネルとを備えている。天板パネルは、第１ステーおよび第２ステーに固定された状態で第１および第２ステーを受入れる段差部を含んでいる。
【００３２】
請求項１４に記載のエアコン室外機用防護パネルによれば、天板パネルの上に誤って人が登るようなことがあっても、段差部に第１ステーおよび第２ステーが受入れられることで、人が落下するのを防止することができる。
【００３３】
【発明の実施の形態】
実施の形態１
本発明の実施の形態１に係るエアコン室外機用防護パネルについて説明する。
本エアコン室外機用防護パネルでは、図１および図２に示すように、室外機２のまわりに複数の円筒状の支柱４ａ〜４ｅが立てられている。室外機を挟んで対向する２本の支柱４ａ、４ｅ等の上部間を結ぶように横ステー８ａ〜８ｄが取付けられている。なお、横ステー８ａ〜８ｄと支柱４ａ〜４ｅとは、たとえばボルト１２ａとナット１２ｂにより固定されている。
【００３４】
たとえば、隣接する２本の支柱４ａ、４ｂの間をわたすように、網状の防護パネル本体６ｂが取付けられている。他の隣接する２本の支柱４ｂ〜４ｈについても、それぞれの間をわたすように防護パネル本体６ａ、６ｃ〜６ｈ等が取付けられている。また、隣接する２本の横ステー８ａ〜８ｄの間のそれぞれには、天板パネル１０ａ〜１０ｃが取付けられている。
【００３５】
各防護パネル本体６ａ〜６ｈは、それぞれの端部に設けられた所定の取付部７ａ、７ｂによって対応する支柱４ａ〜４ｅの間をわたすように支持されている。
所定の取付部７ａ、７ｂは、支柱４ａから４ｅに設けられたフランジ部５によって下方から支えられている。防護パネル本体６ｂの支柱４ａ側の端部には、この支柱４ａに挿通される略円筒状の筒状取付部７ａが上端から下端にわたり連続的に設けられている。
【００３６】
一方、防護パネル本体６ｂの支柱４ｂ側の端部には、断面形状が略半円状の半円状取付部７ｂが上端から下端にわたり連続的に設けられ、支柱４ｂに挿通された隣接する防護パネル本体６ｃの筒状取付部７ａの外面上に重なっている。
【００３７】
次に上述したエアコン室外機用防護パネルの組立てについて説明する。
図２に示すように、室外機（図示せず）の周囲の地面等に防護パネル本体の寸法に対応する間隔をもって支柱４ａ〜４ｅをそれぞれ設置する。次に、たとえば、防護パネル本体６ｂを持上げて筒状取付部７ａを支柱４ａに挿通する。以下、同様に他の防護パネル本体６ｃ〜６ｈ、６ａについても、それぞれの筒状取付部７ａを対応する支柱４ｂ〜４ｅに挿通する。
【００３８】
すべての防護パネル本体６ａ〜６ｈの筒状取付部７ａを対応する支柱４ａ〜４ｅに挿通した後、室外機（図示せず）を挟んで対向する、たとえば２本の支柱４ａ、４ｅの上部の間をわたすように横ステー８ａを取付けて、たとえばネジ止めをする。他の対応する２本の支柱４ｂ〜４ｆのそれぞれについても、同様に横ステー８ｂ〜８ｄをそれぞれ取付ける。
【００３９】
次に、たとえば横ステー８ａと横ステー８ｂとの間に天板パネル１０ａを取付ける。その天板パネル１０ａを横ステー８ａ、８ｂに設けられた穴を貫通するボルトによって横ステー８ａ、８ｂに固定する。同様にして、天板パネル１０ｂ、１０ｃを横ステー８ｂ〜８ｄにそれぞれ固定する。
【００４０】
次に、図３に示すように、たとえば支柱４ｂに挿通された筒状取付部７ａと、その筒状取付部７ａの外面上に重なる半円状取付部７ｂとを支柱４ｂに設けた貫通穴１５を貫通するボルト１３によって固定することで、防護パネル本体６ａと防護パネル本体６ｂとを支柱４ａに固定する。
【００４１】
このとき、図４に示すように、雌ねじ１４ａが設けられ、筒状取付部７ａに外面から重なる部分を有する取付金具１４を防護パネル本体の内側に配置させ、外側からボルト１３を貫通穴１５に挿通して雌ねじ１４ａに螺合する。他の防護パネル本体のそれぞれについても同様にして対応する支柱に固定する。以上のようにして、エアコン室外機用防護パネルの設置が完了する。
【００４２】
このエアコン室外機用防護パネルによれば、防護パネル本体６ａ〜６ｈ、支柱４ａ〜４ｈ、横ステー８ａ〜８ｄおよび天板パネル１０ａ〜１０ｃを有して構成され、上述したように、特に防護パネル本体６ａ〜６ｈに設けられた筒状取付部７ａや半円状取付部７ｂを対応する支柱４ａ〜４ｈに固定することで、支柱と支柱との間に防護パネル本体をわたすことができる。これにより、専門の業者でなくとも、エアコン室外機の設置業者でエアコン室外機用防護パネルの組立を容易に短時間で行なうことができる。
【００４３】
しかも、防護パネル本体の枚数や、支柱の本数を増減することで、室外機の大きさに対応したエアコン室外機用防護パネルを容易に組立てることができる。
【００４４】
また、エアコン室外機のメンテナンスを行なう場合など、エアコン室外機用防護パネルの内側に立ち入る場合には、防護パネル本体を開閉する必要がある。このとき、防護パネル本体を支柱に固定しているボルトを取外すことになる。たとえば、図５に示すように、防護パネル本体６ｃの筒状取付部７ａと防護パネル本体６ｂの半円状取付部７ｂとを支柱４ｂに固定しているボルト（図示せず）を取外す。そして、防護パネル本体６ａの半円状取付部７ｂと防護パネル本体６ｂの筒状取付部７ａとを支柱４ａに固定しているボルト（図示せず）を取外す。
【００４５】
これにより、防護パネル本体６ｂは筒状取付部７ａを軸として矢印２０に示すように開閉可能になる。室外機のメンテナンスが終了すれば、上述した逆の操作を行なって防護パネル本体６ａ〜６ｃを各支柱４ａ、４ｂに固定する。
【００４６】
このように、防護パネル本体の開閉も外側からボルト１３の取外し取付により容易に行なうことができる。
【００４７】
また、筒状取付部７ａの外面上に半円状取付部７ｂが重なることで、各防護パネル本体６ａ〜６ｈの各支柱４ａ〜４ｈへの取付がより強固になる。
【００４８】
さらに、この実施の形態では、防護パネル本体としてはすべて網状のものを例に挙げたが、部分的に板状の防護パネル本体を適用してもよい。特に、防護パネル本体として網状のものを適用することで、室外機の様子を外から容易に確認することができる。また、防護パネル本体の軽量化も図ることができる。
【００４９】
実施の形態２
本発明の実施の形態２に係るエアコン室外機用防護パネルについて説明する。
本エアコン室外機用防護パネルは、実施の形態１において説明したエアコン室外機用防護パネルと同様に、防護パネル本体、支柱、横ステーおよび天板パネルから構成される。
【００５０】
特に、本エアコン室外機用防護パネルでは、たとえば図６に示すように、防護パネル本体６ａの支柱４ａ側の端部には上端から下端にかけて断続的に略円筒状の筒状取付部７ｃが設けられている。また、防護パネル本体６ｂの支柱４ａ側の端部にも断続的に筒状取付部７ｃが設けられている。
【００５１】
防護パネル本体６ａに設けられた筒状取付部７ｃと防護パネル本体６ｂに設けられた筒状取付部７ｃとは、支柱４ａを挿通した状態で高さ方向で互い違いになるように、それぞれの防護パネル本体６ａ、６ｂに配置されている。
【００５２】
なお、防護パネル本体６ｂの支柱４ｂ側の端部には、略半円状の半円状取付部７ｂが上端から下端にわたり連続的に設けられている。
【００５３】
次に上述したエアコン室外機用防護パネルの組立について説明する。本エアコン室外機用防護パネルの組立ては、基本的には、実施の形態１において説明した組立方と同じである。特に、本エアコン室外機用防護パネルでは、図６に示す防護パネル本体６ａの筒状取付部７ｃと防護パネル本体６ｂの筒状取付部７ｃとを、あらかじめ互い違いになるように合わせたうえで支柱４ａを各筒状取付部７ｃに挿通することで防護パネル本体６ａ、６ｂが支柱４ａに取付けられる。これにより、この支柱４ａに関しては、防護パネル本体６ａ、６ｂを固定するためにねじ止をする必要がなくなる。
【００５４】
また、エアコン室外機用防護パネルの内側に立ち入る場合には、たとえば図７に示すように、防護パネル本体６ｂの半円状取付部７ｂと防護パネル本体６ｃの筒状取付部７ａとを支柱４ｂに固定しているボルト（図示せず）を取外すだけで、防護パネル本体６ｂは筒状取付部７ｃを軸として矢印２０に示すように開閉可能になる。
【００５５】
したがって、防護パネル本体６ｂの開閉作業にあたり、ネジの取外しおよび取付けの作業が、実施の形態１におけるエアコン室外機用防護パネルの場合の約半分になり、作業時間を短縮することができる。
【００５６】
また、開閉を行なう必要のない防護パネル本体については、たとえば図８に示すように、支柱４ｅ側の端部に断続的な筒状取付部７ｃが設けられ、支柱４ｆ側の端部にも断続的な筒状取付部７ｃが設けられた防護パネル本体６ｈ等を用いることで、ネジ止めを行なうことなく防護パネル本体６ｆ〜６ｈを容易に対応する支柱４ｅ〜４ｈに取付けることができる。
【００５７】
実施の形態３
本発明の実施の形態３に係るエアコン室外機用防護パネルについて説明する。
本エアコン室外機用防護パネルも、実施の形態１において説明したエアコン室外機用防護パネルと同様に、防護パネル本体、支柱、横ステーおよび天板パネルから構成される。
【００５８】
特に、本エアコン室外機用防護パネルでは、たとえば図９に示すように、防護パネル本体６ｂの支柱４ａ側の端部には上端から下端にかけて断続的に略円筒状の筒状取付部７ｃが設けられ、支柱４ｂ側の端部には上端から下端にかけて断続的に略半円状の半円状取付部７ｄが設けられている。他の防護パネル本体６ｃ、６ｄについても同様の、筒状取付部７ｃと半円状取付部７ｄが設けられている。
【００５９】
防護パネル本体６ｂに設けられた半円状取付部７ｄと防護パネル本体６ｃに設けられた筒状取付部７ｃとは、支柱４ｂを挿通した状態で高さ方向で互い違いになるように、それぞれの防護パネル本体６ｂ、６ｃに設けられている。
【００６０】
防護パネル本体６ｂ等に設けられた半円状取付部７ｄは、実施の形態１において説明したように、支柱４ｂ等を貫通するボルトと取付金具（いずれも図示せず）とによって支柱４ｂ等に固定される。
【００６１】
防護パネルの内側に立ち入る場合には、たとえば図９に示す防護パネル本体６ｂの半円状取付部７ｄを支柱４ｂに固定しているボルト（図示せず）を取外すだけで、防護パネル本体６ｂは筒状取付部７ｃを軸として矢印２１に示すように開閉可能になる。
【００６２】
また同様にして、防護パネル本体６ｃの半円状取付部７ｄを支柱４ｃに固定しているボルト（図示せず）を取外すだけで、防護パネル本体６ｃも筒状取付部７ｃを軸として矢印２１に示すように開閉可能になる。
【００６３】
上述したエアコン室外機用防護パネルでは、実施の形態１、２において説明した効果に加えて、次のような効果が得られる。特に、実施の形態２において説明したエアコン室外機用防護パネルでは、防護パネル本体６ｂと防護パネル本体６ｃとは、防護パネル本体６ｃの支柱４ｂ側の端部に連続的に設けられた筒状取付部７ａの外面上に、防護パネル本体６ｂの支柱４ｂ側の端部に連続的に設けられた半円状取付部７ｂを重ねてネジ止めすることで支柱４ｂに固定される。このため、防護パネル本体６ｃを開閉するためには、支柱４ｃ側のネジに加えて支柱４ｂ側のネジも取外す必要があった。
【００６４】
一方、本エアコン室外機用防護パネルでは、上述したように、防護パネル本体６ｂに設けられた半円状取付部７ｄと防護パネル本体６ｃに設けられた筒状取付部７ｃとは、支柱４ｂに挿通された状態で高さ方向に互い違いに配置されるため、筒状取付部７ｃは支柱４ｂにネジ止めされない。
【００６５】
これにより、防護パネル本体６ｃの半円状取付部７ｄを支柱４ｃに固定しているネジだけを取外すことで、防護パネル本体６ｃを矢印２１に示すように開閉することができる。
【００６６】
したがって、防護パネル本体の開閉作業にあたり、ネジの取外しおよび取付けの作業が、実施の形態１、２におけるエアコン室外機用防護パネルの場合の約半分になり、作業時間をさらに短縮することができる。
【００６７】
実施の形態４
本発明の実施の形態４に係るエアコン室外機用防護パネルについて説明する。
本エアコン室外機用防護パネルも、実施の形態１において説明したエアコン室外機用防護パネルと同様に、防護パネル本体、支柱、横ステーおよび天板パネルから構成される。
【００６８】
特に、本エアコン室外機用防護パネルでは、たとえば図１０に示すように、天板パネル１０ａ、１０ｂ等に、各横ステー８ａ〜８ｃに取付けられた状態で横ステー８ａ〜８ｃを受入れる凹部１１が設けられている。なお、防護パネル本体については、実施の形態１〜３において説明した防護パネル本体が適当に組合わされて用いられる。
【００６９】
本エアコン室外機用防護パネルでは、実施の形態１〜３において説明した効果に加えて、次のような効果が得られる。
【００７０】
実施の形態１において説明したように、天板パネル１０ａ等は横ステー８ａ、８ｂにネジ（図示せず）止めされる。エアコン室外機用防護パネルがたとえば小学校などに設置される場合、児童がこのエアコン室外機用防護パネルの上に誤って登るようなことがある。
【００７１】
このような場合に、そのネジが破損するようなことが発生したとしても、この凹部１１に横ステー８ａ、８ｂが受入れられていることで児童が落下するのを防止することができる。また、落下物等の影響が室外機へ及ぶのも阻止することができる。
【００７２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００７３】
【発明の効果】
請求項１に記載されたエアコン室外機用防護パネルによれば、第１支持部を第１支柱に挿通するとともに、第２支持部を第２支柱に取付けることで、第１支柱と第２支柱との間に容易に第１パネル本体をわたすことができ、専門の業者でなくても容易にエアコン室外機用防護パネルを組立てることができる。また、第１支持部を軸として第１パネル本体を容易に開閉可能にすることができる。
【００７４】
請求項２に記載されたエアコン室外機用防護パネルによれば、第２支持部を第２支柱や他の第１支持部の外面上に沿って重ねることができる。
【００７５】
請求項３に記載されたエアコン室外機用防護パネルによれば、第１支持部および第２支持部を容易に支えることができる。
【００７６】
請求項４に記載されたエアコン室外機用防護パネルによれば、雄ねじ部を押え部の雌ねじ部に螺合することで、パネルの外側から容易に取付取外しを行なうことができる。
【００７７】
請求項５に記載されたエアコン室外機用防護パネルによれば、室外機の様子をエアコン室外機用防護パネルの外側から容易に確認することができるとともに、第１パネル本体の軽量化を図ることができる。
【００７８】
請求項６に記載されたエアコン室外機用防護パネルによれば、第１パネル本体の軽量化をさらに図ることができる。
【００７９】
請求項７に記載されたエアコン室外機用防護パネルによれば、第３支持部を第１支柱に挿通するとともに、第４支持部を第３支柱に取付けることで、第１支柱と第３支柱との間に、第３支持部を軸として開閉可能な第２パネル本体を容易にわたすことができる。
【００８０】
請求項８に記載されたエアコン室外機用防護パネルによれば、第１支持部と第３支持部とは第１支柱に挿通されるだけで特にネジなどの取付部材により固定されないので、第１パネル本体や第２パネル本体を開閉する際に第１支柱側の取付部材を取外す必要がない。
【００８１】
請求項９に記載されたエアコン室外機用防護パネルによれば、第４支持部を第１支柱や他の第１支持部の外面上に沿って重ねることができる。
【００８２】
請求項１０に記載されたエアコン室外機用防護パネルによれば、第５支持部を第１支柱に取付けるとともに、第６支持部を第３支柱に挿通することで、第１支柱と第３支柱との間に、第６支持部を軸として開閉可能な第２パネル本体を容易にわたすことができる。
【００８３】
請求項１１に記載されたエアコン室外機用防護パネルによれば、第５支持部を第１支柱や他の第１支持部の外面上に沿って重ねることができる。
【００８４】
請求項１２に記載されたエアコン室外機用防護パネルによれば、第５支持部が第１支持部の外面上に重なることで、第１パネル本体および第３パネル本体の第１支柱への取付がより強固になる。
【００８５】
請求項１３に記載のエアコン室外機用防護パネルによれば、第３パネル本体の第５支持部をネジなどの取付部材で第１支柱に取付ける際に、第１パネル本体の第１支持部については取付部材によって第１支柱に固定されることはないので、第２支持部側の取付部材を取外すだけで容易に第１パネル本体を開閉することができる。
【００８６】
請求項１４に記載されたエアコン室外機用防護パネルによれば、天板パネルの上に誤って人が登るようなことがあっても、段差部に第１ステーおよび第２ステーが受入れられることで、人が落下するのを防止することができる。
【図面の簡単な説明】
【図１】  本発明の実施の形態１に係るエアコン室外機用防護パネルの斜視図である。
【図２】  同実施の形態に係るエアコン室外機用防護パネルの分解斜視図である。
【図３】  同実施の形態において、図１に示すエアコン室外機用防護パネルの部分拡大斜視図である。
【図４】  同実施の形態において、取付金具とボルトによる支柱周辺の取付け状態を示す図である。
【図５】  同実施の形態において、防護パネル本体の支柱への取付け状態を示す模式図である。
【図６】  本発明の実施の形態２に係るエアコン室外機用防護パネルの部分拡大斜視図である。
【図７】  同実施の形態において、防護パネル本体の支柱への取付け状態を示す模式図である。
【図８】  同実施の形態において、防護パネル本体の変形例を示す部分分解斜視図である。
【図９】  本発明の実施の形態３に係るエアコン室外機用防護パネルの部分分解斜視図である。
【図１０】  本発明の実施の形態４に係るエアコン室外機用防護パネルの部分拡大側面図である。
【符号の説明】
２  室外機、４ａ〜４ｈ  支柱、６ａ〜６ｈ  防護パネル本体、７ａ、７ｃ  筒状取付部、７ｂ、７ｄ  半円状取付部、８ａ〜８ｄ  横ステー、１０ａ〜１０ｃ  天板パネル、１１  凹部、１３  ボルト、１４  取付金具、１４ａ  雌ねじ、１５  貫通穴。
【図１】
0004553451.tif 000002
【図２】
0004553451.tif 000003
【図３】
0004553451.tif 000004
【図４】
0004553451.tif 000005
【図５】
0004553451.tif 000006
【図６】
0004553451.tif 000007
【図７】
0004553451.tif 000008
【図８】
0004553451.tif 000009
【図９】
0004553451.tif 000010
【図１０】
0004553451.tif 000011